(57)【特許請求の範囲】
【請求項１】
可動片により開閉自在とされる入賞口と、その入賞口に入賞した遊技球を内部に誘導する通路と、その通路に連通する特別入賞口及び一般入賞口とを備えたパチンコ機の可変入賞装置において、
前記通路は、前記入賞口に連通する始端部から下方に向かう下り傾斜部と、その下り傾斜部を流下した遊技球が停留可能な停留部と、その停留部から特別入賞口に連通する終端部に向かう上り傾斜部とを連続状に設け、その停留部には、一般入賞口と連通する排出口を設けると共に当該排出口を開放及び閉鎖する開閉片を駆動手段により出没自在に設け、その排出口が閉鎖された状態では、前記停留部に停留する先行の遊技球が前記下り傾斜部を流下してきた後続の遊技球によって前記上り傾斜部を上って特別入賞口に向けて押し出され、他方、前記排出口が開放された状態では、前記停留部に停留する遊技球が一般入賞口に誘導されるように構成したことを特徴とするパチンコ機の可変入賞装置。
【請求項２】
前記通路が円弧形状に設けられていることを特徴とする請求項１に記載のパチンコ機の可変入賞装置。
【発明の詳細な説明】
【技術分野】
【０００１】
本発明は、パチンコ機の可変入賞装置に関するものである。
【背景技術】
【０００２】
一般的に羽根物といわれるパチンコ機の型式では、遊技領域に設けられた複数の始動口のうちの何れかの始動口に遊技球が入賞すると、可変入賞装置の可動片が１回又は２回だけ開放状態とされ、その可動片の開放中に、内部に設けられた特定入賞領域（Ｖゾーン）に遊技球が入賞することにより大当たり状態を発生させる構成とされている。また、入賞球が特定入賞領域以外の普通入賞口に入った場合には、大当たり状態を発生しないように設けられている。
【０００３】
特許文献１には、大入賞口に入賞した遊技球を特別入賞口又は一般入賞口に振り分ける振り分け部材を設けた可変入賞装置が開示されている。この可変入賞装置では、多くの遊技球を入賞させても全ての遊技球が一般入賞口に振り分けられることもあり、かかる場合には遊技者に大きな失望感を与えてしまう虞がある。
【０００４】
また、特許文献２には、左右に裾を有する山状の振分け部と、振分け部の一方の裾側に設けられた第１貯留部と、他方の裾側に通じる特定領域と、振分け部に供給される遊技球を第１貯留部に誘導する誘導部を備え、第１貯留部にｎ個の遊技球が貯留されると、次の（ｎ＋１）個目の遊技球は他方の裾側の第２貯留部に誘導されて特定領域に至るようにした遊技球振分け装置が開示されている。
【０００５】
上記遊技球振分け装置は、上方に配置される電動役物を介して遊技球が供給口に供給される構成とされ、何個目の遊技球が特定領域に入賞するかを遊技者に知らせることにより遊技者の射幸心が高められるとしている。ところが、遊技球の動きについては、第１貯留部にｎ個を越えて貯留できない後続の遊技球がｎ個目の遊技球に当たって特定領域側にはじかれるのみで貯留された遊技球は静止したままで動かないことから、単調さを否めない。
【特許文献１】特開平７−１５５４３５号公報
【特許文献２】特許第２７７１１４３号公報
【発明の開示】
【発明が解決しようとする課題】
【０００６】
本発明の目的は、所定数の遊技球を入賞させたときに確実に特別入賞口に誘導することができると共に入賞した遊技球の挙動に斬新さを有するパチンコ機の可変入賞装置を提供することにある。
【課題を解決するための手段】
【０００７】
前記目的を達成するために請求項１に記載した発明は、可動片により開閉自在とされる入賞口と、その入賞口に入賞した遊技球を内部に誘導する通路と、その通路に連通する特別入賞口及び一般入賞口とを備えたパチンコ機の可変入賞装置において、
前記通路は、前記入賞口に連通する始端部から下方に向かう下り傾斜部と、その下り傾斜部を流下した遊技球が停留可能な停留部と、その停留部から特別入賞口に連通する終端部に向かう上り傾斜部とを連続状に設け、その停留部には、一般入賞口と連通する排出口を設けると共に当該排出口を開放及び閉鎖する開閉片を駆動手段により出没自在に設け、その排出口が閉鎖された状態では、前記停留部に停留する先行の遊技球が前記下り傾斜部を流下してきた後続の遊技球によって前記上り傾斜部を上って特別入賞口に向けて押し出され、他方、前記排出口が開放された状態では、前記停留部に停留する遊技球が一般入賞口に誘導されるように構成したことを特徴とする。
【０００８】
同様の目的を達成するために請求項２に記載した発明は、請求項１に記載のパチンコ機の可変入賞装置において、前記通路が円弧形状に設けられていることを特徴とするものである。
【発明の効果】
【０００９】
（請求項１の発明）
このパチンコ機の可変入賞装置は、通路の停留部に停留する先に入賞した遊技球が後に入賞してきた遊技球によって上り傾斜部を上って特別入賞口に向けて押し出されるようにされているので、所定数の遊技球を入賞させたときに確実に特別入賞口に誘導することができ、遊技者に期待感を与えることが可能である。加えて、停留部に停留する先行の遊技球が後続の遊技球によって押されて移動することにより遊技球に動的変化を生じるので、それを観察しつつ遊技を行えば遊技への興趣が一層高められる。
【００１０】
（請求項２の発明）
このパチンコ機の可変入賞装置は、入賞した遊技球を内部に誘導する通路が円弧形状に設けられているので、入賞した遊技球の動きがとらえやすく、装置全体のコンパクト化を図ることができる。
【発明を実施するための最良の形態】
【００１１】
以下に、本発明の最良の形態例を図面に基づいて説明する。図１は本発明に係る可変入賞装置の斜視図、図２は同、分解斜視図、図３は入賞した遊技球の挙動を説明する模式図（イ）〜（ニ）、図４は開閉片による排出口の閉鎖状態（イ）と開放状態（ロ）を示す説明図、図５は本発明に係る可変入賞装置を適用したパチンコ機の正面図である。
【００１２】
図１に示す本発明に係るパチンコ機の可変入賞装置１は、遊技者により遊技領域に打ち込まれて入賞した遊技球を特定構成の通路２０を介して特別入賞口１７又は一般入賞口１８に振り分ける機能を有する。
【００１３】
図２において、この可変入賞装置１の取付板２には、パチンコ機の遊技盤面に取り付けるための複数の取付け穴３を周縁部に設け、ほぼ中央に後記通路２０の構成要素としての円柱部４を、その円柱部４の上方に断面山形の障害片５を夫々一体状に突設している。円柱部４の下方には、後記開閉片４６を挿入する透孔６と特別入賞口１７に入賞する遊技球の通過を検出する入賞球検出スイッチ３５の一部を挿入する透孔７が形成され、また、通過口８，９が左右に並列して形成されている。
【００１４】
上記障害片５の直下には、左右一対の可動片たる開閉羽根１１を各軸１２、１２により取付板２に回転可能に設けている。開閉羽根１１，１１は、取付板２の裏面に配設したソレノイド４０により連動部材４１を揺動させることにより、起立して入賞口１３を閉じて遊技球を入り難くし、他方、逆ハ字形に傾動して入賞口１３を開放して遊技球を入り易くする公知の構成とされている。
【００１５】
１５は取付板２の前面に取り付けられる誘導枠である。誘導枠１５は、天部に前記入賞口１３に入賞した遊技球を迎え入れるための開口部１６を設け、そのほぼ中央に開口部１６を通過した遊技球を内部に誘導する円弧形状の通路２０を設け、その通路２０の下方に特別入賞口１７と一般入賞口１８を設けている。特別入賞口１７は前記通過口８に合致し、一般入賞口１８は通過口９に合致するように配置されている。
【００１６】
図３に示すように、通路２０は、入賞口１３に連通する始端部２１から右下方に向かう下り傾斜部２２と、その下り傾斜部２２を流下した遊技球が停留可能な停留部２３と、その停留部２２から特別入賞口１７に連通する終端部２４ａに向かう上り傾斜部２４とを連続状に設けている。停留部２３の最も低い位置には、一般入賞口１８と排出路２６を介して連通する排出口２５を設けている。その排出口２５には、前記透孔６に挿入された開閉片４６を臨むように設け、その開閉片４６を取付板２の裏面に配設した駆動手段たるソレノイド４５により出没自在とすることにより、当該排出口２５を開放及び閉鎖するように設けている。
【００１７】
なお、通路２０の始端部２１から左下方にも、上記下り傾斜部２２と対称形の下り傾斜部２７を設けている。その下り傾斜部２７は、前記終端部２４ａに連通するように設けられている。
【００１８】
前記終端部２４ａから特別入賞口１７に連通する排出路２８には、入賞球検出スイッチ３５が配設されている。
【００１９】
３０は誘導枠１５の前面に取り付けられる飾り板である。この飾り板３０には、前記通路２０内を転動する遊技球を観察し易くするための窓穴３１が形成されている。
【００２０】
以上により、開閉羽根１１，１１が逆ハ字形に傾動したときに入賞した遊技球を内部の通路２０に誘導し、通路２０の排出口２５が閉鎖された状態のとき、停留部２３に停留する先行の遊技球が下り傾斜部２２を流下してきた後続の遊技球によって上り傾斜部２４を上って特別入賞口１７に向けて押し出され、他方、排出口２５が開放された状態のとき、停留部２３に停留する遊技球が一般入賞口１８に誘導されるという本発明に係るパチンコ機の可変入賞装置１が構成される。
【００２１】
ここで、本発明に係るパチンコ機の可変入賞装置１を適用したパチンコ機Ｐの概要について述べる。図５に示すように、このパチンコ機Ｐは、外枠５１に取り付けられた図示しない金属製内枠により装飾扉５２を開閉自在に設け、その装飾扉５２の中央開口部５２ａに遊技領域ｒを覆う透明なガラスが装着されている。装飾扉５２には、上皿５３と下皿５４を配置し、右隅にパチンコ球発射ハンドル５５を配置している。そして、遊技盤５６の遊技レール５６によって区画される遊技領域ｒには、本発明に係る可変入賞装置１と、その可変入賞装置１の下方に３個の始動口５８〜６０と、図示しない誘導釘や風車６１、普通入賞口６２等を配設している。
【００２２】
しかして、このパチンコ機Ｐでは、遊技者によって打ち込まれた遊技球が左右の始動口５８又は始動口５９に入賞することにより可変入賞装置１の開閉羽根１１，１１を１回（例えば、３秒間）、中央の始動口６０に遊技球が入賞すれば開閉羽根１１，１１を２回（例えば、２秒間ずつ）開放し、その開放中の開閉羽根１１，１１内に入った遊技球が特定領域である特別入賞口１７に入賞することによって「大当たり状態」を発生させる基本的構成とされている。
【００２３】
つぎに、本発明に係るパチンコ機の可変入賞装置１の作用を図面に基づいて説明する。
（１）遊技者によって打ち込まれた遊技球が遊技領域ｒを流下して左右の始動口５８又は始動口５９に入賞すると、可変入賞装置１の開閉羽根１１，１１がソレノイド４０の作動により起立状態から逆ハ字形に傾動して入賞口１３を開放する（図３）。
（２）開閉羽根１１，１１が傾動している間に新たに打ち込まれた遊技球が入賞口１３に入れば、その遊技球は開口部１６から通路２０内に流入して停留部２３に順に停留する。ただし、図３（ニ）に示すように、遊技球ｘに勢いがあるときには通路２０内を通過してそのまま特別入賞口１７に流入する場合もある。
（３）図３（ロ）及び（ハ）に示すように、開閉羽根１１，１１の開放している所定時間内に次々と遊技球が入賞して５個目の遊技球ｅが入賞した場合には、停留部２３に停留する最初の遊技球ａが後続の遊技球ｂ〜ｅによって上り傾斜部２４を上って特別入賞口１７に向けて押し出される。遊技球ａが特別入賞口１７に入賞すると大当たり状態となり、遊技者は最高で１５ラウンドの大当たり遊技を行なうことができる。なお、遊技球が特別入賞口１７に入賞する毎に１５個の賞球が賞球払出装置（図示せず）により払い出される。
（４）他方、開閉羽根１１，１１は所定時間が経過すると元の起立状態に戻り、ソレノイド４５の作動により開閉片４６を後退させて停留部２３の排出口２５が開放される。このため、図４に示すように、停留部２３に停留する遊技球があれば、それらの遊技球ｉ〜ｋは排出口２５を通って一般入賞口１８に誘導される。
【００２４】
以上に述べた通り、このパチンコ機の可変入賞装置は、通路の停留部に停留する先に入賞した遊技球が後に入賞してきた遊技球によって上り傾斜部を上って特別入賞口に向けて押し出されるようにされているので、所定数の遊技球を入賞させたときに確実に特別入賞口に誘導することができ、通路内に停留した遊技球に動的変化が生じるので遊技への興趣が高められる。
【図面の簡単な説明】
【００２５】
【図１】本発明に係る可変入賞装置の斜視図
【図２】同、分解斜視図
【図３】入賞した遊技球の挙動を説明する模式図（イ）〜（ニ）
【図４】開閉片による排出口の閉鎖状態（イ）と開放状態（ロ）を示す説明図
【図５】本発明に係る可変入賞装置を適用したパチンコ機の正面図
【符号の説明】
【００２６】
１・・・本発明に係るパチンコ機の可変入賞装置
１１，１１・・・開閉羽根（可動片）
１３・・・入賞口
１７・・・特別入賞口
１８・・・一般入賞口
２０・・・通路
２１・・・始端部
２２・・・下り傾斜部
２３・・・停留部
２４・・・上り傾斜部
２４ａ・・・終端部
２５・・・排出口
４５・・・ソレノイド（駆動手段）
４６・・・開閉片
Ｐ・・・パチンコ機
【図１】
0004507262.tif 000002
【図２】
0004507262.tif 000003
【図３】
0004507262.tif 000004
【図４】
0004507262.tif 000005
【図５】
0004507262.tif 000006